(57)【要約】【課題】  ユーザに対して、製品の機能や特徴などの宣伝内容を自動的に表示部により宣伝することができるようにする。【解決手段】  標準の操作画面が表示された後、予め定められている宣伝画面遷移用のタイムが経過したことが時間計測部１０４で計測されると、宣伝画面〈１〉を標準の操作画面の上に表示する。こうして宣伝画面〈１〉が表示された後、予め定められている宣伝画面遷移用のタイムが経過すると、２番目の宣伝画面〈２〉データが表示される。こうした一連の動作を繰り返し、宣伝画面データ部１０３に保存されている宣伝画面データテーブルの最後の宣伝画面〈Ｎ〉データが表示され、予め定められた宣伝画面遷移用のタイムが経過すると、表示制御部１０１は、ポップアップしていた宣伝画面を消去することにより、下に隠れている通常の操作画面を表示する。【選択図】  図４
2007076241.tif 000002
【特許請求の範囲】
【請求項１】
操作入力手段を備えた電子装置であって、
当該電子装置についての宣伝画面データを記憶する宣伝画面データ記憶手段と、
前記宣伝画面データ記憶手段に記憶された宣伝画面データを、前記操作入力手段への操作入力を必要とせずに表示手段に表示させる表示制御手段と、を備えたことを特徴とする電子装置。
【請求項２】
前記表示制御手段は、前記宣伝画面データ記憶手段に記憶された複数の宣伝画面データを、予め定められた順に、予め定められた第１の時間間隔で順次表示させることを特徴とする請求項１記載の電子装置。
【請求項３】
前記表示制御手段は、前記操作入力手段における処理開始キーへの入力直後に前記宣伝画面データを前記表示手段に表示させることを特徴とする請求項１または２記載の電子装置。
【請求項４】
前記表示制御手段は、前記操作入力手段への入力が行われてから予め定められた第２の時間経過しても次の入力が行われない場合に、前記宣伝画面データを前記表示手段に表示させることを特徴とする請求項１から３の何れか１項に記載の電子装置。
【請求項５】
前記表示制御手段は、前記操作入力手段への入力が行われると、当該入力内容に関連付けられた宣伝画面データを前記宣伝画面データ記憶手段から検索し、該検索された宣伝画面データを前記表示手段に表示させることを特徴とする請求項１記載の電子装置。
【請求項６】
操作入力手段を備えた電子装置のプログラムであって、
電子装置に、当該電子装置についての宣伝画面データを表示手段に表示させる宣伝画面表示処理を、前記操作入力手段への操作入力を必要とせず、該宣伝画面データの複数について、予め定められた順に、予め定められた第１の時間間隔で順次実行させることを特徴とする電子装置のプログラム。
【請求項７】
請求項６記載の電子装置のプログラムが記録されたことを特徴とする電子装置のプログラムを記録した記録媒体。
【発明の詳細な説明】
【技術分野】
【０００１】
本発明は、例えばコピー機、ＦＡＸ、プリンタ、スキャナ、複合機などの電子装置、電子装置のプログラム、および該プログラムを記録した記録媒体に関する。
【背景技術】
【０００２】
一般に、例えばコピー機やＦＡＸといった電子装置は、ただ単に原稿をコピーしたり送信したりするだけでなく、ユーザにとって便利な沢山の機能を備えている。また、近年、電子技術の向上に伴い、セキュリティ機能など新しい機能が年々追加され、多機能化が進んでいる。
【０００３】
また、本出願人により先に出願されている特許文献１のものでは、ユーザーインターフェースシステムにおいて、画面構成要素を管理する画面サブシステムと、オペレーションパネルのデバイス管理を行うパネルサブシステムとを、ソフトウェアを部品化することによって別プロセスとして分離するようにしている。
【特許文献１】特開２００１−３４４４９号公報
【発明の開示】
【発明が解決しようとする課題】
【０００４】
ここで、上述した従来の電子装置では、多機能化に伴い、沢山の機能が選択できるような操作画面になっているので、階層が深くなったり、見た目が煩雑になったりで、ユーザからすると、使いたい機能を簡単には探しだせずに苦労することになってしまう。また、とっても便利な機能やその機種特有の機能があっても、普段使わない機能だと、そのような機能があることも知らず、ユーザ自身が能動的にマニュアルをみるなどの行動を起こさない限り、いつもの機能を使い続けるという状況に陥りがちになってしまう。
【０００５】
新しい製品を販売する場合にはＴＶコマーシャル等で製品の特徴を宣伝することが一般的であるが、主な機能のみの宣伝とならざるを得ず、また、いつも操作しているユーザがそのＴＶコマーシャルを見ているとは限らない。
【０００６】
生産者の立場としては、折角作った新しい機能や便利な機能をどんどんユーザに使ってもらうことができないと、製品、しいては会社のアピールにもつながらないことになる。また、そうした意味で、沢山の機能を作りこんだ割には少しの機能しか使ってもらえないと採算が合わない。
【０００７】
しかし、ほとんどのユーザは、操作が面倒だったりすると使わなかったり、わざわざマニュアルをみるまでには至らないことが多い。このため、ユーザからの能動的な行動だけを期待するのではなく、生産者の立場から使ってもらう動機付けとして、こんなに便利な機能があるんだというその機能や特徴を、実際使っているユーザの目に触れる操作画面で宣伝をして伝えていく必要があった。
【０００８】
また、上述した特許文献１のものは、ユーザーインターフェースシステムについて、メンテナンスをしやすくし、ソフトウェア開発者の負担を軽減し、開発効率を上げることができる好適なものであるが、ユーザに対して製品の機能や特徴を自動的に宣伝することについてまで考慮されたものではなかった。
【０００９】
本発明はこのような状況に鑑みてなされたものであり、ユーザに対して、製品の機能や特徴などの宣伝内容を表示により自動的に宣伝することができる電子装置、電子装置のプログラム、および該プログラムを記録した記録媒体を提供することを目的とする。
【課題を解決するための手段】
【００１０】
かかる目的を達成するために、本発明の第１の態様としての電子装置は、操作入力手段を備えた電子装置であって、当該電子装置についての宣伝画面データを記憶する宣伝画面データ記憶手段と、宣伝画面データ記憶手段に記憶された宣伝画面データを、操作入力手段への操作入力を必要とせずに表示手段に表示させる表示制御手段と、を備えたことを特徴とする。
【００１１】
上記した表示制御手段は、上記した宣伝画面データ記憶手段に記憶された複数の宣伝画面データを、予め定められた順に、予め定められた第１の時間間隔で順次表示させることが好ましい。
【００１２】
上記した表示制御手段は、上記した操作入力手段における処理開始キーへの入力直後に宣伝画面データを表示手段に表示させることが好ましい。
【００１３】
上記した表示制御手段は、上記した操作入力手段への入力が行われてから予め定められた第２の時間経過しても次の入力が行われない場合に、宣伝画面データを表示手段に表示させることが好ましい。
【００１４】
上記した表示制御手段は、上記した操作入力手段への入力が行われると、当該入力内容に関連付けられた宣伝画面データを宣伝画面データ記憶手段から検索し、該検索された宣伝画面データを表示手段に表示させることであってもよい。
【００１５】
また、本発明の第２の態様としての電子装置のプログラムは、操作入力手段を備えた電子装置のプログラムであって、電子装置に、当該電子装置についての宣伝画面データを表示手段に表示させる宣伝画面表示処理を、操作入力手段への操作入力を必要とせず、該宣伝画面データの複数について、予め定められた順に、予め定められた第１の時間間隔で順次実行させることを特徴とする。
【００１６】
また、本発明の第３の態様としての電子装置のプログラムを記録した記録媒体は、上記した本発明の第２の態様としての電子装置のプログラムが記録されたことを特徴とする。
【発明の効果】
【００１７】
以上のように、本発明によれば、ユーザに対して、製品の機能や特徴などの宣伝内容を表示により自動的に宣伝することができる。
【発明を実施するための最良の形態】
【００１８】
次に、本発明に係る電子装置、電子装置のプログラム、および該プログラムを記録した記録媒体を、スキャナ機能やプリンタ機能などを備えた複合機に適用した一実施形態について、図面を用いて詳細に説明する。
まず、各実施形態に共通する構成について説明する。
【００１９】
図１に、本発明の各実施形態としての複合機１００のハードウエア構成例を示す。
図１中、符号１はプロセッサ（ＣＰＵ）であって、装置全体の制御を司るものであり、その制御下にＲＯＭ２、ＲＡＭ３、ＮＶＲＡＭ４、操作パネル１１とパネル制御部７、スキャン／プリントエンジン１２とエンジン制御部８、記憶装置１３とディスクドライバ９、通信制御部１０、モデム５、外部Ｉ／Ｆ（インターフェイス）６が接続されている。
【００２０】
上記したＲＯＭ２には、本実施形態の複合機１を制御するためのプログラムコード、フォント、及びその他の静的なデータが格納されており、ＲＡＭ３は一時的な記憶場所として利用される。ＮＶＲＡＭは４、不揮発性のデータを格納し、操作パネル１１とパネル制御部７は、ユーザとのインターフェイスを司る。スキャン／プリントエンジン１２とエンジン制御部８は、イメージデータの入出力ユニットとして、紙原稿の読み取りと転写紙への印刷を実行する部分である。記憶装置１３とディスクドライバ９は、大量のイメージデータなどを蓄積したり、データベースの記憶場所として利用され、通信制御部１０は、イーサネット（登録商標）等のネットワーク２０に接続され、外部の機器との通信を可能にしている。更に、モデム５は、公衆回線と接続され、外部の機器との通信を可能にし、外部Ｉ／Ｆ６は、セントロニクスやＲＳ−２３２Ｃ等のインターフェイスを用いて例えばＰＣ１４などの外部の機器との通信を可能にしている。
【００２１】
図２に、上述した図１に示すハードウェア構成により実現される本実施形態としての機能ブロック図を示す。
この図２に示すように、複合機１００は、操作表示パネル（表示手段）１１の表示内容を制御する表示制御部１０１と、操作表示パネル１１やスタートキー１１１などの操作入力手段からの操作入力内容を解釈する操作入力解釈部１０２と、記憶部１３内で各種の宣伝画面データを記憶する宣伝画面データ部１０３と、時間計測部１０４とを備える。
このように、上述した表示制御部１０１と、操作入力解釈部１０２と、宣伝画面データ部１０３と、時間計測部１０４とが、上述した図１に示すＣＰＵ１や記憶装置１３などにより実現される。
【００２２】
なお、宣伝画面データ部１０３に記憶される各宣伝画面データは、この複合機１００の機能や特徴といった、ユーザに宣伝したいアピールポイントの情報を含むものである。
【００２３】
〔第１の実施形態〕
次に、本発明の第１の実施形態としての複合機について説明する。
図３は、第１の実施形態の主要動作を示すフローチャートであり、図４は、第１の実施形態による操作表示パネル１１周りの構成および操作表示パネル１１への画面表示の遷移例を示す図である。
【００２４】
まず、本実施形態としての複合機１００への電源投入による起動時には、操作表示パネル１１に、図４に例示するような標準の操作画面が表示される（ステップＳ１）。
こうして標準の操作画面が表示された後、予め定められている宣伝画面遷移用のタイム（第１の時間）が経過したことが時間計測部１０４で計測されると、図４に例示するように、宣伝画面〈１〉を標準の操作画面の上に表示する（ステップＳ２）。
【００２５】
この予め定められている宣伝画面遷移用のタイムは、自動的に宣伝画面が遷移していく際に、１つ１つの宣伝が人の目に認識でき、しかも長すぎない一定の時間が好ましく、例えば３秒などであってよい。
【００２６】
以上のように、１つの画面が表示された後に、次の画面に表示内容を遷移させる動作について、図５のフローチャートを参照して説明する。
１つの画面遷移を終えてその画面データが表示された時など、計測開始のトリガーが入力されると、時間計測部１０４は経過時間の計測を開始する（ステップＳ１１）。
【００２７】
この計測される経過時間が予め定められている宣伝画面遷移用のタイムになると（ステップＳ１２；Ｙｅｓ）、表示制御部１０１は、宣伝画面データ部１０３に保存されている宣伝画面データテーブルにおけるポインタが指し示す宣伝画面データ、上述したステップＳ２の例では宣伝画面データテーブル先頭の宣伝画面〈１〉データを読み出し、宣伝画面データテーブルを指し示すポインタを次の宣伝画面〈２〉データを指すように移動させる（ステップＳ１３）。
画面データを読み出すと、その読み出した画面データ、上記ステップＳ２の例では宣伝画面〈１〉データを操作表示パネル１１に表示させる（ステップＳ１４）。
【００２８】
以上のようにして、予め定められた宣伝画面遷移用のタイム毎の画面遷移が行われ、上述したステップＳ２で宣伝画面〈１〉が表示された後、予め定められている宣伝画面遷移用のタイムが経過すると、宣伝画面データ部１０３に保存されている宣伝画面データテーブルのポインタが指す宣伝画面データである２番目の宣伝画面〈２〉データが図４に例示するように表示される（ステップＳ３）。
【００２９】
こうした一連の動作を繰り返し、宣伝画面データ部１０３に保存されている宣伝画面データテーブルの最後の宣伝画面〈Ｎ〉データが表示され（ステップＳ４）、予め定められた宣伝画面遷移用のタイムが経過すると、表示制御部１０１は、ポップアップしていた宣伝画面を消去することにより、下に隠れている通常の操作画面を表示し、上述したステップＳ１へ遷移する。すなわち、通常の操作画面が操作表示パネル１１に表示された時点から時間計測部１０４による経過時間計測を開始し、予め定められた宣伝画面遷移用のタイムが経過するとステップＳ２として宣伝画面〈１〉を表示し、この一連の画面遷移動作を繰り返していく。
【００３０】
以上のように、上述した第１の実施形態によれば、複合機１００における使ってもらいたい機能や特徴などを、操作表示パネル１１に宣伝画面として表示することができるので、その製品を使っているユーザに対して、製品の機能や特徴を確実に伝えることができる。
このため、複合機１００が多様な機能を備えた電子装置であっても、その多様な機能をユーザの目に触れる操作画面で宣伝することで、ユーザに各種機能を使ってもらえるための動機付けができる。
【００３１】
このように、複合機１００における使ってもらいたい機能や特徴などの宣伝画面を、ユーザからの操作入力を必要とせず、複合機１００が、予め定められた順に、予め定められた時間間隔で、自動的に順次表示していくため、使ってもらいたい機能や製品の特徴が実際にその製品を使っているユーザに完全には伝わらず、折角の機能が使われずに埋もれてしまう問題を発生させないようにすることができる。
【００３２】
〔第２の実施形態〕
次に、本発明の第２の実施形態としての複合機について説明する。
図６は、第２の実施形態の主要動作を示すフローチャートであり、図７は、第２の実施形態による操作表示パネル１１周りの構成および操作表示パネル１１への画面表示の遷移例を示す図である。
【００３３】
まず、本実施形態としての複合機１００への電源投入による起動時には、操作表示パネル１１に、図７に例示するような標準の操作画面が表示される（ステップＳ２１）。
こうして標準の操作画面が表示され、その操作画面に基づいて、例えば原稿サイズや濃度などの設定入力が操作表示パネル１１から行われ、スタートキー（処理開始キー）１１１が押下されると（ステップＳ２２；Ｙｅｓ）、表示制御部１０１は、宣伝画面データ部１０３に保存されている宣伝画面データテーブルにおけるポインタが指し示す宣伝画面データ、図６の例では宣伝画面データテーブル先頭の宣伝画面〈１〉データを読み出し、宣伝画面データテーブルを指し示すポインタを次の宣伝画面〈２〉データを指すように移動させ、読み出した宣伝画面〈１〉を図７に例示するように操作表示パネル１１に表示させる（ステップＳ２３）。
【００３４】
こうして宣伝画面〈１〉が操作表示パネル１１に表示されると、その表示画面遷移を計測開始のトリガーとして、図５により上述した表示内容遷移動作を行うことで、予め定められた宣伝画面遷移用のタイム経過後に、表示制御部１０１は操作表示パネル１１に宣伝画面〈２〉を図７に例示するように表示させる（ステップＳ２４）。
【００３５】
こうした一連の動作を繰り返し、宣伝画面データ部１０３に保存されている宣伝画面データテーブルの最後の宣伝画面〈Ｎ〉データが表示され（ステップＳ２５）、予め定められた宣伝画面遷移用のタイムが経過すると、表示制御部１０１は、ポップアップしていた宣伝画面を消去することにより、下に隠れている通常の操作画面を表示し、上述したステップＳ２１へ遷移する。
【００３６】
以上のように、上述した第２の実施形態によれば、スタートキー１１１の押下が操作入力解釈部１０２で検出されることにより、その押下直後の画像処理待ち時間（例えばコピーによる画像形成中など）に宣伝画面を表示するため、ユーザが操作できない処理待ちの時間にだけ、使ってもらいたい機能や製品の特徴を操作画面に宣伝画面として表示することができる。
【００３７】
このことにより、その製品の本来の目的である、ユーザがその製品の機能を利用する操作（例えば、コピーをする等）を妨げることなく、また、ユーザからの操作入力を必要とせず、複合機１００における使ってもらいたい機能や特徴などの宣伝画面を自動的に表示するため、ユーザにとって操作待ちの無駄な時間を、機能や製品の特徴の宣伝画面により新しい情報を取り入れる有効な時間として費やせるようにすることができる。
【００３８】
〔第３の実施形態〕
次に、本発明の第３の実施形態としての複合機について説明する。
図８は、第３の実施形態の主要動作を示すフローチャートであり、図９は、第３の実施形態による操作表示パネル１１周りの構成および操作表示パネル１１への画面表示の遷移例を示す図である。
【００３９】
まず、本実施形態としての複合機１００への電源投入による起動時には、操作表示パネル１１に、図９に例示するような標準の操作画面が表示される（ステップＳ３１）。
こうして標準の操作画面が表示され、その操作画面に基づいて、例えば編集キーが押下されるなど、操作入力解釈部１０２で何かしらのキー押下されたことを認識した時に、ユーザが操作を開始したことを認識し（ステップＳ３２；Ｙｅｓ）、時間計測部１０４は経過時間の計測を開始し、表示制御部１０１は押されたキーに対応する画面に画面表示を遷移させる（ステップＳ３３）。図９に示す画面例では、編集キーが押下されることで編集機能画面に遷移した場合について示している。
【００４０】
時間計測部１０４で計測される経過時間が、予め定められた判断待ち時間（第２の時間）となった時、表示制御部１０１は、宣伝画面データ部１０３に保存されている宣伝画面データテーブルにおけるポインタが指し示す宣伝画面データ、図８の例では宣伝画面データテーブル先頭の宣伝画面〈１〉データを読み出し、宣伝画面データテーブルを指し示すポインタを次の宣伝画面〈２〉データを指すように移動させ、読み出した宣伝画面〈１〉を図９に例示するように操作表示パネル１１に表示させる（ステップＳ３５）。
【００４１】
宣伝画面データを表示開始させるトリガーとなる上記した判断待ち時間は、ユーザが操作に迷っている時間と判断されるのに適当な時間で、しかも操作をやめて製品から離れてしまうといった長すぎでない一定の時間であり、例えば５秒などであってよい。
【００４２】
こうして宣伝画面〈１〉が操作表示パネル１１に表示されると、その表示画面遷移を計測開始のトリガーとして、図５により上述した表示内容遷移動作を行うことで、予め定められた宣伝画面遷移用のタイム経過後に、表示制御部１０１は操作表示パネル１１に宣伝画面〈２〉を図９に例示するように表示させる（ステップＳ３６）。
【００４３】
こうした一連の動作を繰り返し、宣伝画面データ部１０３に保存されている宣伝画面データテーブルの最後の宣伝画面〈Ｎ〉データが表示され（ステップＳ３７）、予め定められた宣伝画面遷移用のタイムが経過すると、表示制御部１０１は、ポップアップしていた宣伝画面を消去することにより、下に隠れている画面、すなわちステップＳ３２で押下されたキーに対応した操作画面を表示し、上述したステップＳ３３へ遷移する。
【００４４】
以上のように、上述した第３の実施形態によれば、操作入力解釈部１０２で何かしらのキー押下が認識されてから、予め定められた判断待ち時間（例えば５秒）経過しても次のキー入力が行われない場合に、次に何の操作をすべきかユーザが操作に迷っていると判断し、使ってもらいたい機能や製品の特徴を宣伝画面として操作画面に表示することができる。
【００４５】
このことにより、その製品の本来の目的である、ユーザがその製品の機能を利用する操作（例えば、コピーをする等）を妨げることなく、また、ユーザからの操作入力を必要とせず、複合機１００における使ってもらいたい機能や特徴などの宣伝画面を自動的に表示するため、次に何の操作をしたらよいかのヒントをユーザに最適なタイミングで自動的に提示することができる。
【００４６】
〔第４の実施形態〕
次に、本発明の第４の実施形態としての複合機について説明する。
図１０は、第４の実施形態の主要動作を示すフローチャートであり、図１１は、第４の実施形態による操作表示パネル１１周りの構成および操作表示パネル１１への画面表示の遷移例を示す図である。
【００４７】
まず、本実施形態としての複合機１００への電源投入による起動時には、操作表示パネル１１に、図１１に例示するような標準の操作画面が表示される（ステップＳ４１）。
こうして標準の操作画面が表示され、その操作画面に基づいて、例えば編集キーが押下されるなど、操作入力解釈部１０２で何かしらのキー押下されたことを認識した時に、ユーザが操作を開始したことを認識し（ステップＳ４２；Ｙｅｓ）、表示制御部１０１は押されたキーに対応する画面に画面表示を遷移させる（ステップＳ４３）。図１１に示す画面例では、編集キーが押下されることで編集機能画面に遷移した場合について示している。
【００４８】
こうして押下されたキーに対応した画面に遷移すると、表示制御部１０１は、宣伝画面データ部１０３に保存されている宣伝画面データテーブルの中から、押下されたキー入力内容に関連する機能（例えば、押下されたキーが編集キーならスタンプ印字機能など）の宣伝画面データを検索し（ステップＳ４４）、一致した宣伝画面データ（図１１の例では宣伝画面〈５〉）を読み出し、読み出した画面データを図１１に例示するように操作表示パネル１１に表示させる（ステップＳ４５）。
【００４９】
また、上述したステップＳ４４での検索では別の方法として、宣伝画面データテーブルを設定するときに、各宣伝画面データについて、その宣伝画面データに関連付けられる押下キーや機能を予め対応付けしておくこととしてもよい。
この場合、ステップＳ４４での検索は、押下されたキー入力内容に関連づけられて記憶されている宣伝画面データを検索することとなる。
【００５０】
こうして検索された宣伝画面が表示され、予め定められた宣伝画面遷移用のタイムの経過が時間計測部１０４により計測されると（ステップＳ４６）、表示制御部１０１は、ポップアップしていた宣伝画面を消去することにより、下に隠れている画面、すなわちステップＳ４２で押下されたキーに対応した操作画面を表示して終了する（ステップＳ４７）。
【００５１】
以上のように、上述した第４の実施形態によれば、ユーザが操作した機能に関連する機能の宣伝画面を、ユーザの操作による画面遷移の最初に操作画面に表示することができるため、操作したユーザが宣伝された機能を使う可能性を高くすることができる。
【００５２】
すなわち、使ってもらいたい機能や製品の特徴についての宣伝画面を、宣伝側の意図だけで複数順番に宣伝表示するだけでは、宣伝画面の順番や数によっては、ユーザにとって使う可能性がある機能についての宣伝画面を見る確率が低くなってしまう虞がある。本実施形態によれば、こうした問題を発生させることなく、ユーザが宣伝を見ることによって使うことになる可能性がある機能の宣伝画面を、ユーザからの操作入力を必要とせず、より早く確実に操作画面に表示することで、宣伝した機能を使ってもらえる確率を高くすることができる。
【００５３】
なお、上述した各実施形態は本発明の好適な実施形態であり、本発明はこれに限定されることなく、本発明の技術的思想に基づいて種々変形して実施することが可能である。
例えば、上述した第１から第３の実施形態では、複数の宣伝画面を順に表示させることとして説明したが、宣伝画面として宣伝しようとする各機能や特徴を１つの宣伝画面により一覧表示する構成であってもよい。この場合、複数の宣伝画面を順に表示させる動作に替えて、その一覧表示の宣伝画面１つのみを表示することとなる。
【００５４】
また、上述した実施形態では、複合機により表示することで利用者に通知を行う表示手段が操作表示パネル１１であることとして説明したが、表示手段として機能させることができればこのものに限定されず、例えば外部装置として接続された表示パネルにより表示する構成などであっても本発明は同様に実現することができる。
すなわち、本発明の実施形態で表示に用いる表示手段は、例えば操作表示パネル１１や外部の表示パネルなど、何らかの方法により表示を行うものであれば各種のものにより構成されてよい。
【００５５】
また、上述した実施形態では、本発明に係る電子装置をスキャナ機能やプリンタ機能を備えた複合機に適用したものについて説明したが、表示制御機能を備えた電子装置であればこのものに限定されず、例えば、コピー機、ＦＡＸ、プリンタ、スキャナ、デジタルカメラなど、表示部を備えた各種の画像処理装置などであっても本発明は同様に適用することができる。
【００５６】
また、上述した各実施形態では、プログラムは、ＲＯＭ２に格納されることとして説明したが、コンピュータが読み取り可能な記録媒体であればこのものに限定されず、例えば、フロッピー（登録商標）ディスク，ハードディスク，光ディスク，光磁気ディスク，ＣＤ−ＲＯＭ，ＣＤ−Ｒ，磁気テープ，不揮発性のメモリカード，ＥＥＰＲＯＭ等に格納されてもよい。
すなわち、本発明の各実施形態による上述した各機能が、上述した記録媒体から供給されるプログラムによって、電子装置のＣＰＵや、電子装置に接続されたＰＣが処理を行うことにより実現されてもよい。
そして、その場合、上述した記録媒体により、あるいはネットワークを介して外部の記録媒体から、プログラムを含む情報群を出力装置に供給される場合でも本発明は適用されるものである。
すなわち、記録媒体から読み出されたプログラムコード自体が本発明の新規な機能を実現することになり、そのプログラムコードを記憶した記録媒体および該記録媒体から読み出された信号は本発明を構成することになる。
【００５７】
この本発明に係るプログラムによれば、当該プログラムによって制御される電子装置に、上述した本発明に係る各実施形態としての複合機における各機能を実現させることができる。
【図面の簡単な説明】
【００５８】
【図１】本発明の実施形態としての複合機１００周りのハードウェア構成を示すブロック図である。
【図２】該複合機１００の機能的構成を示すブロック図である。
【図３】第１の実施形態による動作概略を示すフローチャートである。
【図４】第１の実施形態による表示画面遷移例を示す図である。
【図５】１つの画面が表示された後に、次の画面に表示内容を遷移させる動作を示すフローチャートである。
【図６】第２の実施形態による動作概略を示すフローチャートである。
【図７】第２の実施形態による表示画面遷移例を示す図である。
【図８】第３の実施形態による動作概略を示すフローチャートである。
【図９】第３の実施形態による表示画面遷移例を示す図である。
【図１０】第４の実施形態による動作概略を示すフローチャートである。
【図１１】第４の実施形態による表示画面遷移例を示す図である。
【符号の説明】
【００５９】
１００    複合機（電子装置の一例）
１０１    表示制御部
１０２    操作入力解釈部
１０３    宣伝画面データ部（宣伝画面データ記憶手段の一例）
１０４    時間計測部
１１    操作表示パネル（表示手段の一例、かつ操作入力手段の一例）
１１１    スタートキー（操作入力手段の一例）
１３    記憶装置
【図１】
2007076241.tif 000003
【図２】
2007076241.tif 000004
【図３】
2007076241.tif 000005
【図４】
2007076241.tif 000006
【図５】
2007076241.tif 000007
【図６】
2007076241.tif 000008
【図７】
2007076241.tif 000009
【図８】
2007076241.tif 000010
【図９】
2007076241.tif 000011
【図１０】
2007076241.tif 000012
【図１１】
2007076241.tif 000013